(57)【要約】【課題】歪除去増幅器の歪抑圧特性を比較的広い周波数帯域に亘って効率良く確保することができるフィードフォワード形歪補償共通増幅装置を提供する。【解決手段】本発明によるフィードフォワード形歪補償増幅装置は、多周波信号を共通増幅するフィードフォワード歪補償共通増幅装置において、フィードフォワード歪補償をするための歪除去ループに注入するパイロット信号の周波数が多周波数信号の伝送周波数帯域内に設定され、パイロット信号の共通増幅装置内でのレベルは共通増幅装置でスプリアスを発生させる所定レベルより低く設定されていることを特徴とする構成を有している。【選択図】        図１
2004312422.tif 000002
【特許請求の範囲】
【請求項１】
多周波信号を共通増幅するフィードフォワード歪補償共通増幅装置において、
前記フィードフォワード歪補償をするための歪除去ループに注入するパイロット信号の周波数が前記多周波数信号の伝送周波数帯域内に設定され、
該パイロット信号の該共通増幅装置内でのレベルは該共通増幅装置でスプリアスを発生させる所定レベルより低く設定されている
ことを特徴とするフィードフォワード形歪補償共通増幅装置。
【請求項２】
前記パイロット信号のレベルが、先ず前記所定レベルより低く設定された後に、該所定レベル以下であって該パイロット信号による歪抑圧量を予め設定された範囲内で出来るだけ大きくするレベル値に再設定される最適化処理動作をする制御回路が備えられていることを特徴とする請求項１に記載のフィードフォワード形歪補償共通増幅装置。
【発明の詳細な説明】
【０００１】
【発明の属する技術分野】
本発明は、多周波信号を共通増幅するフィードフォワード歪補償共通増幅装置に関するものである。
【０００２】
【従来の技術】
このようなフィードフォワード歪補償共通増幅装置は、移動通信システムの基地局及び中継装置に用いられている（例えば、特許文献１，２参照）。
【０００３】
【特許文献１】
特開平８−５６１２３号公報
【特許文献２】
特開平８−５６１２６号公報
【０００４】
【発明が解決しようとする課題】
図６に、特許文献１，２に記載されている従来の共通増幅器の構成例を示す。
図６において、１，４，９は方向性結合器、２，７はベクトル調整器、３は主増幅器、５，６は遅延線、８は補助増幅器、１０は制御回路である。
方向性結合器１，４間の回路は歪検出ループであり、遅延線５を介して与えられる歪を含まない入力多周波信号と、周波数増幅器３で増幅されて歪を含んだ多周波信号とを、方向性結合器４にて逆相加算して、入力多周波信号が主増幅器３で増幅される時に発生する相互変調歪成分のみを、方向性結合器４の出力端子ｂに検出する。方向性結合器４の出力端子ａには、主増幅器３で増幅された歪を含んだ多周波信号が得られる。
方向性結合器４，９間の回路は歪み除去ループであり、前記の歪検出ループで検出された歪成分を補助増幅器８で所望の値に増幅して位相を反転した信号と、遅延線６を介して方向性結合器９に入力される歪成分を含んだ増幅信号とを逆相加算し、歪を除去する。
１１は歪検出ループと歪除去ループとの最適化を行う為に設けられたパイロット信号発生器である。１２は、方向性結合器９の出力側信号を検知するための受信機である。ベクトル調整器２，７は、各ループの最適調整値を設定する制御をするために設けられている。１０はその制御回路である。
【０００５】
図７に、１つのパイロット信号により制御を行った場合の歪除去ループにおける歪抑圧量の特性を示す。横軸は周波数、縦軸は歪抑圧量である。パイロット信号のレベルを歪除去ループで抑圧させるように、ベクトル調整器２，７を制御することにより、置換的に歪を除去する。
【０００６】
歪抑圧量は図８に示す特性より得られる。すなわち、方向性結合器４，遅延線６、方向性結合器９のルートは、遅延線６をセミリジットケーブル（半硬質ケーブル）等により構成する場合が多いため、振幅，位相特性は広い周波数に亘り、平坦な特性を示している場合が多いが、方向性結合器４とベクトル調整器７、補助増幅器８、方向性結合器９のルートは、帯域が広くなるに従い、周波数，位相特性の平坦性が損なわれる場合が多い。このために、上記の遅延線６の系と比較した時の、振幅偏差，位相偏差が大きくなり、図７に示すように、ある周波数（パイロット信号の周波数）より離れるに従い、歪抑圧量は減少する。
従って、出来る限り、パイロット信号の周波数は帯域の中心に設定する方が帯域の両端までの歪抑圧量を確保することができるが、パイロット信号レベルの制御中や、電源投入時などでは、その信号レベルが上昇するので、帯域内にスプリアスを発生することとなる問題がある。そのために、今までの技術では、パイロット信号の周波数を伝送信号の帯域外に設定していたが、これでは歪抑圧の広帯域性を確保することができない。
【０００７】
本発明の目的は、歪除去増幅器の歪抑圧特性を比較的広い周波数帯域に亘って効率良く確保することができるフィードフォワード形歪補償共通増幅装置を提供することにある。
【０００８】
【課題を解決するための手段】
この目的を達成するために、本発明によるフィードフォワード形歪補償増幅装置は、多周波信号を共通増幅するフィードフォワード歪補償共通増幅装置において、
前記フィードフォワード歪補償をするための歪除去ループに注入するパイロット信号の周波数が前記多周波数信号の伝送周波数帯域内に設定され、
該パイロット信号の該共通増幅装置内でのレベルは該共通増幅装置でスプリアスを発生させる所定レベルより低く設定されていることを特徴とする構成を有している。
【０００９】
前記パイロット信号のレベルが、先ず前記所定レベルより低く設定された後に、該所定レベル以下であって該パイロット信号による歪抑圧量を予め設定された範囲内で出来るだけ大きくするレベル値に再設定される最適化処理動作をする制御回路を備えることができる。
【００１０】
【発明の実施の形態】
本発明の実施例の構成を図１に、制御のフローチャートを図２に示す。図１の実施例では、図６に示す従来例の構成において、可変減衰器等のレベル調整器１３を介してパイロット信号発生器１１の出力が主増幅器３の入力側に印加され、このレベル調整器１３を制御回路１０により制御するように構成されている。
【００１１】
この実施例において、パイロット信号のレベル調整は、次のように行われる。
▲１▼初めに（Ｓ１）、パイロット信号周波数を帯域の中心に近い周波数であって、装置のキャリア周波数と重ならない周波数に設定し（Ｓ２）、パイロット信号のレベルを調整する可変調整量を、歪除去ループの歪抑圧特性が０の場合であったとしても、図３に示すように、帯域内にスプリアスが発生するレベル（「スプリアスレベル」という）以下であるように設定する（Ｓ３）。
▲２▼次に、「最適化制御」を行うが（Ｓ４）、その時のパイロット信号のレベルは、最大の歪抑圧を行った状態であるから、パイロット信号のレベルは調整可能範囲で最小となっている。その抑圧（減少）されたパイロット信号のレベルは、受信機１２にて、検知されるので、この検知レベルに従った「最適化制御」により、パイロット信号のレベルを調整して、スプリアスレベルを超えない量の範囲で上昇させる（Ｓ５）。次に、上昇されたパイロット信号のレベルがスプリアスレベル以下であって、歪抑圧量が、所定の最大抑圧量（例えば、−３５ｄＢ）以下あるかのテストをし（Ｓ６）、パイロットレベルがその所定の最大抑圧量まで到達していない場合には、再度最適化を行う。このような処理を行って装置のパイロット信号による最適化制御により歪抑圧量を調整可能範囲で最大にすることができるパイロット信号レベルになったときに、最後の最適化を行い（Ｓ７）、終了する。
【００１２】
以上の説明のように、パイロット信号レベルをスプリアスレベル以下より、最適化し、スプリアスレベルとの差分だけ、パイロット信号のレベルを上昇させ、再度、最適化することを繰り返すことにより、常に、帯域内のスプリアスレベルを超えることなく、帯域内にて、パイロット信号のレベルを設定されたスプリアス抑圧量以下になるようにする制御を行うことができるため、効率良く歪抑圧特性を得ることが可能になる。
【００１３】
前記のように、装置のキャリアと重ならないようにする理由は、パイロット信号受信機が、パイロット信号のレベルではなく、キャリアのレベルを認識してしまうことを阻止するためである。
仮に、歪増幅器に入力されるキャリアの周波数が、予め判明している場合、又は離調周波数が判明している場合には、図４に示すようにキャリアとキャリアの間、あるいは、キャリアの存在しない周波数に設定することにより、パイロット信号受信機の誤認識を防ぐことが可能であるが、キャリアの周波数が予め判明していない場合には、パイロット信号受信機１２がキャリアを、パイロット信号と誤認識する可能性が高いため、実現は困難である。
【００１４】
また、パイロット信号の周波数を伝送帯域の中心に近い周波数に設定する理由は、図５に示すように、伝送帯域の中心にてパイロット制御を行う場合には、必要な伝送帯域に対して、低い周波数側と高い周波数側が、ほぼ同じ離調周波数であるから、図８に示した必要な伝送帯域の周波数偏差、位相偏差特性が伝送帯域の端に設定した場合に比べて、狭い伝送帯域での特性にて必要な伝送帯域（＝規格）を確保できることにある。すなわち、増幅器の広帯域特性を緩和することができることになる。
【００１５】
【発明の効果】
以上詳細に説明したように、本発明により、パイロット信号を使用するフィードフォワード型共通増幅装置において、帯域内のスプリアスにならないように伝送帯域内にてパイロット信号のレベル制御を適正に行うことができるように工夫することにより、歪除去ループの特性を効率良く機能させることができるので、実用的効果大である。
【図面の簡単な説明】
【図１】本発明の実施例を示すブロック図である。
【図２】図１の実施例の動作を説明するためのフロー図である。
【図３】図１の実施例の動作を説明するための信号配列図である。
【図４】図１の実施例の動作を説明するための信号配列図である。
【図５】図１の実施例の動作を説明するための歪抑圧量特性図である。
【図６】従来のフィードフォワード形歪補償共通増幅装置例の構成を示すブロック図である。
【図７】図６の従来例の歪抑圧量特性図である。
【図８】図６の従来例の歪抑圧量特性図である。
【符号の説明】
１  方向性結合器
２  ベクトル調整器
３  主増幅器
４  方向性結合器
５  遅延線
６  遅延線
７  ベクトル調整器
８  補助増幅器
９  方向性結合器
１０  制御回路
１１  パイロット信号発生器
１２  受信機
１３  レベル調整器
【図１】
2004312422.tif 000003
【図２】
2004312422.tif 000004
【図３】
2004312422.tif 000005
【図４】
2004312422.tif 000006
【図５】
2004312422.tif 000007
【図６】
2004312422.tif 000008
【図７】
2004312422.tif 000009
【図８】
2004312422.tif 000010